(57)【特許請求の範囲】
【請求項１】
建物と該建物に隣接する隣接構造物との間に設置され、前記建物の作業を行うために用いる仮設足場であって、
間隔を置いて配置された一対の支柱と、該一対の支柱にそれぞれ両端側が連結される梁枠体と、該梁枠体上に固定される足場板と、を備え、
該足場板は、前記梁枠体側に向かって突出する一対の突出部、又は前記梁枠体側の逆側に窪む一対の溝部を有し、
前記梁枠体には、前記梁枠体に交差する交差方向に延在して前記足場板を保持する足場板ホルダーが形成されており、
該足場板ホルダーは、前記足場板が前記足場板ホルダー上に載せられたときに、前記一対の突出部と係止する一対の係止溝部、又は前記一対の溝部と係止する一対の係止突出部を有し、
前記足場板の前記一対の溝部の一部、又は前記足場板ホルダーの前記一対の係止溝部の一部は、弾性変形可能な湾曲部によって形成されており、
該湾曲部によって、前記一対の係止突出部は前記一対の溝部に挟持され、又は前記一対の突出部は前記一対の係止溝部に挟持されていることを特徴とする仮設足場。
【請求項２】
建物と該建物に隣接する隣接構造物との間に設置され、前記建物の作業を行うために用いる仮設足場であって、
間隔を置いて配置された一対の支柱と、該一対の支柱にそれぞれ両端側が連結される梁枠体と、該梁枠体上に固定される足場板と、を備え、
該足場板は、前記梁枠体側に向かって突出する一対の突出部、又は前記梁枠体側の逆側に窪む一対の溝部を有し、
前記梁枠体には、前記梁枠体に交差する交差方向に延在して前記足場板を保持する足場板ホルダーが形成されており、
該足場板ホルダーは、前記足場板が前記足場板ホルダー上に載せられたときに、前記一対の突出部と係止する一対の係止溝部、又は前記一対の溝部と係止する一対の係止突出部を有し、
前記一対の突出部又は前記一対の溝部、及び前記一対の係止溝部又は前記一対の係止溝部は、前記足場板ホルダー側から前記足場板側に向かうにつれて前記交差方向中心側から前記交差方向端部側に傾斜して形成されていることを特徴とする仮設足場。
【請求項３】
前記足場板は、本体と該本体に被さる蓋体とによって形成されて、前記本体と前記蓋体との間に前記一対の溝部を有し、
前記蓋体は、天板部と、該天板部の両側から下方に向けて延出して前記一対の溝部に面する一対の延出部とを有し、
前記湾曲部は、前記一対の延出部の前記足場板ホルダー側の端部から折り返され、前記足場板ホルダー側の端部から前記足場板ホルダーの逆側の端部にかけて前記本体に近づくように湾曲して形成されていることを特徴とする請求項１に記載の仮設足場。
【請求項４】
前記足場板は、本体と該本体に被さる蓋体とによって形成されて、前記本体と前記蓋体との間に前記一対の溝部を有し、
前記蓋体は、天板部と、該天板部の両側から下方に向けて延出して前記一対の溝部に面する一対の延出部とを有し、
該一対の延出部のうち少なくとも一方は、前記天板部の上面から上方に向けて突出して幅方向外側で下方に折り返されて形成されていることを特徴とする請求項１乃至３のいずれか一項に記載の仮設足場。
【請求項５】
前記足場板ホルダーは、前記梁枠体を基準として前記建物側に偏って前記梁枠体に固定されていることを特徴とする請求項１乃至４のいずれか一項に記載の仮設足場。
【請求項６】
前記足場板の上面には、滑り止め孔が形成されており、
前記足場板の上面において、前記滑り止め孔の縁は、その周囲よりも上方に盛り上がるように形成されていることを特徴とする請求項１乃至５のいずれか一項に記載の仮設足場。
【請求項７】
前記梁枠体と前記足場板との間に、弾性を有する紐が掛けられていることを特徴とする請求項１乃至６のいずれか一項に記載の仮設足場。
【発明の詳細な説明】
【技術分野】
【０００１】
本発明は、仮設足場に係り、特に構造物と接近して建てられた建物の建築やメンテナンスの作業を室外側から行う際に用いられる仮設足場に関する。
【背景技術】
【０００２】
住宅等の建物の建築時や建築後のメンテナンス時において、室外側から施工作業をおこなうために建築足場が仮設される。
このような建築足場は、一般に、所定の間隔で立設された単管支柱と梁部材とを縦横に組み合わせ、梁部材に踏み板を仮設して構築している。
例えば、特許文献１に開示された狭小地用の仮設足場においては、支柱と、梁枠体及び足場板からなる梁部材とによって仮設足場を構成し、梁枠体として、長手方向に複数に分割された分割梁枠が相互に連結されてなるものを採用している。このような構成により、梁枠体を分割梁枠毎に、仮設足場の設置場所に持ち込むことができ、仮設足場の設置場所に持ち込む個々の部材の長さを短くすることができる。そして、建物と隣接する構造物（建物、単なる壁を含み、以下隣接構造物ともいう。）とが接近しており、仮設足場を設置するスペースが狭い場合であっても、仮設足場の設置が可能となった。
【先行技術文献】
【特許文献】
【０００３】
【特許文献１】特開２０１４−１０１６５９号公報
【発明の概要】
【発明が解決しようとする課題】
【０００４】
特許文献１に開示された仮設足場においては、足場板は、幅方向において、足場板ホルダーの一対の壁部に囲まれてその位置を規制されているが、足場板の幅方向外側の面間寸法と一対の壁部間の内面間の寸法とが一致していない場合にはぐらつきが生じるため、足場板の保持性が低かった。この場合、足場が安定しないために作業効率が低くなっていた。
また、狭小地に仮設足場を設けた場合に、支柱や上段にある梁枠体によって、これらと建物との間の空間が狭まることで、建物への作業スペースの確保が困難になり作業効率が低くなることがあった。
【０００５】
本発明は、上記の課題に鑑みてなされたものであり、本発明の目的は、隣接する構造物と接近して建築された建物の作業を室外側から行う際の足場の安定性の高い狭小地用の仮設足場を提供することにある。本発明の他の目的は、作業効率を高めることが可能な狭小地用の仮設足場を提供することにある。
【課題を解決するための手段】
【０００６】
前記課題は、本発明の仮設足場によれば、建物と該建物に隣接する隣接構造物との間に設置され、前記建物の作業を行うために用いる仮設足場であって、間隔を置いて配置された一対の支柱と、該一対の支柱にそれぞれ両端側が連結される梁枠体と、該梁枠体上に固定される足場板と、を備え、該足場板は、前記梁枠体側に向かって突出する一対の突出部、又は前記梁枠体側の逆側に窪む一対の溝部を有し、前記梁枠体には、前記梁枠体に交差する交差方向に延在して前記足場板を保持する足場板ホルダーが形成されており、該足場板ホルダーは、前記足場板が前記足場板ホルダー上に載せられたときに、前記一対の突出部と係止する一対の係止溝部、又は前記一対の溝部と係止する一対の係止突出部を有し、前記足場板の前記一対の溝部の一部、又は前記足場板ホルダーの前記一対の係止溝部の一部は、弾性変形可能な湾曲部によって形成されており、該湾曲部によって、前記一対の係止突出部は前記一対の溝部に挟持され、又は前記一対の突出部は前記一対の係止溝部に挟持されていることにより解決される。
【０００７】
上記構成によれば、足場板が有する一対の突出部又は一対の溝部と、足場板ホルダーが有する一対の係止溝部又は一対の係止突出部とが係止することで、足場板を足場板ホルダーの壁部が囲むようにして保持する構成と比べて足場板の足場板ホルダーに対するズレを抑制することができ、足場を安定させることができる。
【０００８】
また、前記課題は、本発明の仮設足場によれば、建物と該建物に隣接する隣接構造物との間に設置され、前記建物の作業を行うために用いる仮設足場であって、間隔を置いて配置された一対の支柱と、該一対の支柱にそれぞれ両端側が連結される梁枠体と、該梁枠体上に固定される足場板と、を備え、該足場板は、前記梁枠体側に向かって突出する一対の突出部、又は前記梁枠体側の逆側に窪む一対の溝部を有し、前記梁枠体には、前記梁枠体に交差する交差方向に延在して前記足場板を保持する足場板ホルダーが形成されており、該足場板ホルダーは、前記足場板が前記足場板ホルダー上に載せられたときに、前記一対の突出部と係止する一対の係止溝部、又は前記一対の溝部と係止する一対の係止突出部を有し、前記一対の突出部又は前記一対の溝部、及び前記一対の係止溝部又は前記一対の係止突出部は、前記足場板ホルダー側から前記足場板側に向かうにつれて前記交差方向中心側から前記交差方向端部側に傾斜して形成されていることにより解決される。
上記構成によれば、一対の溝部又は一対の突出部及び一対の係止溝部又は一対の係止突出部は、足場板ホルダー側から足場板側に向かうにつれて交差方向中心側から交差方向端部側に傾斜して形成されているため、足場板ホルダー上に足場板を載せる際に、一対の溝部が一対の突出部に、又は一対の突出部が一対の係止溝部に接触しやすくなり、両者が係止しやすくなる。
【０００９】
また、前記足場板は、本体と該本体に被さる蓋体とによって形成されて、前記本体と前記蓋体との間に前記一対の溝部を有し、前記蓋体は、天板部と、該天板部の両側から下方に向けて延出して前記一対の溝部に面する一対の延出部とを有し、前記湾曲部は、前記一対の延出部の前記足場板ホルダー側の端部から折り返され、前記足場板ホルダー側の端部から前記足場板ホルダーの逆側の端部にかけて前記本体に近づくように湾曲して形成されていると好ましい。
上記構成によれば、一対の延出部における溝部に面する部位の一部が本体に近づくように湾曲して形成されていることで、溝部に係止突出部を係止させる際に、溝部に係止突出部を差込みやすく、且つ、係止突出部によって溝部を保持しやすくなる。
【００１０】
また、前記足場板は、本体と該本体に被さる蓋体とによって形成されて、前記本体と前記蓋体との間に前記一対の溝部を有し、前記蓋体は、天板部と、該天板部の両側から下方に向けて延出して前記一対の溝部に面する一対の延出部とを有し、該一対の延出部のうち少なくとも一方は、前記天板部の上面から上方に向けて突出して幅方向外側で下方に折り返されて形成されていると好ましい。
上記構成によれば、一対の延出部の少なくとも一方が上方に向けて突出して形成されているため、足場板上に乗る作業者の足が一対の延出部の一方に掛かることで、作業者は作業位置を確認することができ、また、踏ん張りがきくようになるため作業性が高まる。
【００１１】
更に、前記足場板ホルダーは、前記梁枠体を基準として前記建物側に偏って前記梁枠体に固定されていると好ましい。
上記構成によれば、足場板ホルダーが梁枠体を基準として建物側に偏って梁枠体に固定されており、逆に、梁枠体は建物から離間することになるため、梁枠体に柱が同一鉛直平面上に取り付けられている場合に、柱が建物から離間することになる。このため、柱及び梁枠体が建物への作業を阻害することを回避することができる。
【００１２】
また、前記足場板の上面には、滑り止め孔が形成されており、前記足場板の上面において、前記滑り止め孔の縁は、その周囲よりも上方に盛り上がるように形成されていると好ましい。
上記構成によれば、滑り止め孔の縁が上方に盛り上がるように形成されていることで、
足場板上に乗る作業者の足が掛かるため、足場板上での足の踏ん張りがきくこととなり作業性を高めることができる。
【００１３】
更には、前記梁枠体と前記足場板との間に、弾性を有する紐が掛けられていると好ましい。
上記構成によれば、弾性を有する紐が掛けられていることにより、梁枠体と足場板との間でズレが生じることを防止できる。
【発明の効果】
【００１４】
本発明によれば、足場板の足場板ホルダーに対するズレを抑制することができ、建物への作業の効率性を高めることができる。また、溝部が係止突出部に、又は突出部が係止溝部に接触しやすくなり、両者が係止しやすくなる。更に、作業者が作業位置を確認することができ、また、踏ん張りがきくようになり作業性を高めることができる。
【図面の簡単な説明】
【００１５】
【図１】（ａ）は、本発明の一実施形態に係る梁枠体を示す平面図、（ｂ）は、梁枠体の側面図である。
【図２】梁枠体の一部を構成する端部梁枠の前面図である。
【図３】梁枠体を構成する中央梁枠と端部梁枠との連結状態を示し、足場板を載せる状態を示す斜視説明図である。
【図４】足場板の端部を示す側面図である。
【図５】端部梁枠を示す斜視図である。
【図６】足場板ホルダー上に足場板を載置した状態を示す側面図である。
【図７】足場板ホルダーと足場板との間にゴム紐を架け渡した状態を示す斜視図である。
【発明を実施するための形態】
【００１６】
以下、本発明の一実施形態に係る仮設足場について、図１〜図７を参照しながら説明する。
図１（ａ）は、本発明の一実施形態に係る梁枠体を示す平面図、図１（ｂ）は、梁枠体の側面図、図２は、梁枠体の一部を構成する端部梁枠の前面図、図３は、梁枠体を構成する中央梁枠と端部梁枠との連結状態を示し、足場板を載せる状態を示す斜視説明図、図４は、足場板の端部を示す側面図、図５は、端部梁枠を示す斜視図、図６は、足場板ホルダー上に足場板を載置した状態を示す側面図、図７は、足場板ホルダーと足場板との間にゴム紐を架け渡した状態を示す斜視図である。
【００１７】
本実施形態に係る仮設足場１は、隣接構造物との距離が例えば３０〜５０ｃｍ程度しかないような狭小地に、隣接構造物と接近して建築される建物において、建築作業やメンテナンス作業を室外側から行うときに用いられる狭小地用の仮設足場１である。
本実施形態の仮設足場１は、図１（ｂ）に示す一対の支柱２と、一対の支柱２に両端が連結される梁枠体３と、梁枠体３上に固定される図３に示す足場板６と、を備えている。
支柱２は、図１（ｂ）に示すように、鋼製の丸パイプ状体からなり、作業対象の建物と隣接構造物との隙間の地面の２カ所に固定される。支柱２には、梁枠体３の端部に形成された係止片４５が係止される略筒状の係止ホルダー２１が、支柱２の長さ方向に所定間隔を置いて複数設けられている。
係止ホルダー２１は、支柱２の水平方向の断面の周に沿って、９０°ずつずらして４つずつ設けられており、支柱２のほぼ同じ高さに、相互に垂直になるように、４つの梁枠体３を連結可能に構成されている。
【００１８】
本実施形態では、梁枠体３は、長さ方向に３つに分割されており、一対の端部梁枠４と、一対の端部梁枠４に挟まれる中央梁枠５と、を備えている。
端部梁枠４は、図２に示すように、端部梁枠体４１を主要構成要素としている。
端部梁枠体４１は、鋼製の丸パイプ状の上梁材４２と、上梁材４２の下方で上梁材４２に平行に延びる鋼製の丸パイプ状の下梁材４３と、上梁材４２と下梁材４３とを架橋して連結する架橋部材４４とが、溶接により一体に形成されてなる。
上梁材４２及び下梁材４３の長手方向の一端には、端部梁枠４を中央梁枠５に連結するための板体４６が一体に溶接固定されている。板体４６は、上梁材４２及び下梁材４３に対して垂直な略矩形の板体である。板体４６には、矩形の４つの頂点よりも中央よりの４か所に、不図示のボルト孔が穿孔されている。この不図示のボルト孔に挿入されたボルト４６ａとナット４６ｂにより、板体５６に固定される。
上梁材４２の他端には、端部梁枠４を支柱２に連結するための係止片４５が、上梁材４２に一体に設けられている。係止片４５は、端部が下方を向いており、係止片４５の端部側を支柱２の係止ホルダー２１に挿入することにより、係止ホルダー２１に係止される。
【００１９】
上梁材４２の上部であって、係止片４５の近傍の位置、係止片４５よりも長手方向中央寄りの位置と、板体４６よりも長手方向中央寄りの位置の３カ所には、図２に示すように、足場板６を固定するための足場板ホルダー３６が溶接により固定されている。
【００２０】
特に足場板ホルダー３６は、図５及び図６に示すように、水平面上における上梁材４２の連続する方向に対して直交する方向の一方に偏って上梁材４２に固定されている。足場板ホルダー３６が、このように固定されているのは、梁枠体３及び梁枠体３の延長上にある支柱２を、施工対象である建物から離して作業空間を確保することにより、作業性を高めるためである。
足場板ホルダー３６は、図５に示すように、平板部３６ａ及び平板部３６ａの両端が屈曲された一対の壁部３６ｂを備えたコの字状部材３６ｃと、コの字状部材３６ｃの平板部３６ａと一対の壁部３６ｂとに囲まれた領域に溶接固定された支持板部３６ｄと、から形成されている。
一対の壁部３６ｂは、本発明に係る一対の係合突出部に相当し、上端側が、他方の壁部３６ｂに遠ざかるように若干傾斜して平板部３６ａから立設されている。換言すると、壁部３６ｂは、下方から足場板６が載置される上方にかけて、足場板ホルダー３６における幅方向中心側から幅方向端部側に傾斜して形成されている。
また、一対の壁部３６ｂにおける支持板部３６ｄから上方へ突出する部位の断面形状は、後述する足場板６の溝部６２ｅの断面形状と略一致するように形成されている。これにより、足場板６を足場板ホルダー３６に載せたときに、足場板ホルダー３６上に固定可能になっている。
足場板ホルダー３６は、足場板６が載せられる支持板部３６ｄの上面が水平となるように、上梁材４２に溶接されている。
【００２１】
中央梁枠５は、図３に示すように、中央梁枠体５１を主要構成要素としている。
中央梁枠体５１は、鋼製の丸パイプ状の上梁材５２と、上梁材５２の下方で上梁材５２に平行に延びる鋼製の丸パイプ状の下梁材５３と、上梁材５２と下梁材５３とを架橋して連結する架橋部材５４とが、溶接により一体に形成されてなる。
上梁材５２及び下梁材５３の長手方向の両端には、中央梁枠５を端部梁枠４に連結するための板体５６が一体に溶接固定されている。板体５６は、上梁材５２及び下梁材５３に対して垂直な略矩形の板体である。板体５６は、板体４６と同様の構成であるため、説明を省略する。
【００２２】
上梁材５２の上部であって、板体５６よりも長手方向中央寄りの位置の３カ所には、図３に示すように、足場板６を固定するための足場板ホルダー３６が溶接により固定されている。
足場板ホルダー３６は、上梁材５２の連続する方向に垂直な向きに溶接されており、足場板６が載せられる支持板部３６ｄの上面が水平となるように、上梁材５２に溶接されている。
梁枠体３は、中央梁枠５の両端に一対の端部梁枠４が固定されることにより構成される。中央梁枠５と一対の端部梁枠４との間の固定は、板体４６と板体５６とが、ボルト４６ａとナット４６ｂにより締結されることで行われる。
【００２３】
本実施形態の足場板６は、長手方向の長さが、端部梁枠４及び中央梁枠５の長手方向の長さに近い長さとされ、端部梁枠４及び中央梁枠５それぞれの上方に一つずつ設置されている。足場板６は、図４に示すように、断面逆Ω状の本体６１と、開放側を下方に向けた断面コの字状を有して本体６１を覆う蓋体６２とが溶接されて、一体的に形成された蓋付きの箱状に構成されている。
【００２４】
本体６１は、長板状の底部６１ａと、底部６１ａの幅方向両端から斜め上方に延在する一対の側部６１ｂと、一対の側部６１ｂの上端から幅方向外側に張り出す一対の縁部６１ｃとから構成され、アルミニウム等の板材から形成されている。
【００２５】
底部６１ａは、足場板ホルダー３６の支持板部３６ｄの上面に載せられる部位であり、幅方向において、足場板ホルダー３６の一対の壁部３６ｂ間の長さよりも短い長さで形成されている。
【００２６】
一対の側部６１ｂは、後述する蓋体６２の後述する湾曲部６２ｃとの間で、足場板ホルダー３６の一対の壁部３６ｂに係止されることで幅方向の足場板６の移動を制限するための部位である。具体的には、一対の側部６１ｂは、一対の壁部３６ｂのうち支持板部３６ｄから上方に突出する部位のおける幅方向内側の面と略一致する傾斜及び間隔で形成されている。
このように、足場板６の一対の側部６１ｂが足場板ホルダー３６の一対の壁部３６ｂにおける上記部位と略一致する傾斜で形成されていることで、足場板６が壁部３６ｂに載せられる方向に対して、側部６１ｂと壁部３６ｂが交差する方向に傾斜することとなる。このため、壁部３６ｂによって側部６１ｂを挟持しやすくなり、両者間のぐらつきを防止しやすくなる。
【００２７】
一対の縁部６１ｃは、蓋体６２の後述する天板部６２ａと溶接される部位であり、天板部６２ａに沿うように、一対の側部６１ｂの上端から幅方向外側に曲がって形成されている。
【００２８】
蓋体６２は、作業者の足場となる天板部６２ａと、天板部６２ａの幅方向両端から下方に延出する延出部６２ｂと、延出部６２ｂの下端から上方に折り返されて湾曲して形成された湾曲部６２ｃとから構成され、アルミニウム等の板材から形成されている。なお、足場板６の本体６１と蓋体６２とは、板材から成るためプレス加工によって容易に成形可能であり、また、両者の間が中空を成すことにより、軽量化が図られている。
【００２９】
天板部６２ａは、本体６１の底部６１ａに平行となるように、本体６１の縁部６１ｃと溶接されている。また、天板部６２ａは、本体６１に対向することになる下面側から上面側方向に図示せぬ打ち抜き具によって本体６１に溶接される前に穿孔された複数の貫通孔６２ｆを有する。このように形成された貫通孔６２ｆの縁は、打ち抜き具から受ける荷重により、その周囲より上方に突出することとなる。
このように上方に突出する貫通孔６２ｆの縁は、足場板６上で作業する作業者の滑り止めとして機能することとなる。
【００３０】
一対の延出部６２ｂは、一対の壁部３６ｂのうち支持板部３６ｄから上方に突出する部位と略一致する傾斜で形成されている。そして、一対の延出部６２ｂあるいは天板部６２ａの両端側には、天板部６２ａの上面から上方に向けて突出して、両幅方向外側で下方に折り返された返し部６２ｄが形成されている。
このように、返し部６２ｄが天板部６２ａの幅方向両側に形成されていることで、天板部６２ａを足場とする作業者の足が掛かり、作業者がその位置を把握できるとともに、足をかけての踏ん張りがきくことで、足場板６上での作業性を高めることができる。
なお、返し部６２ｄを、天板部６２ａの幅方向両側に形成するのではなく、建物との間の隙間の大きい幅方向の一側のみに形成するようにしてもよい。
【００３１】
一対の湾曲部６２ｃは、上記のように本体６１の一対の側部６１ｂとの間で足場板ホルダー３６の一対の壁部３６ｂに係止されることで、幅方向の足場板６の移動を制限するための部位である。具体的には、湾曲部６２ｃは、延出部６２ｂに接続された下端部から上端部にかけて、延出部６２ｂから離れつつ、本体６１の側部６１ｂに近づくように湾曲して形成されている。一対の湾曲部６２ｃと一対の側部６１ｂとの間に、溝部６２ｅが形成されている。
【００３２】
湾曲部６２ｃが自然状態にあるときには、溝部６２ｅの幅の少なくとも一部は、足場板ホルダー３６の壁部３６ｂにおける幅方向の厚さよりも小さく形成されている。一方、足場板ホルダー３６の一対の壁部３６ｂが溝部６２ｅに差し込まれたときには、図６に示すように、湾曲部６２ｃが弾性変形することにより、壁部３６ｂの厚さと一致するように溝部６２ｅが拡がることとなる。
このように、湾曲部６２ｃが弾性変形することにより、本体６１の側部６１ｂとの間で壁部３６ｂを挟持することとなり、足場板６と、足場板ホルダー３６との間に生じるぐらつきを低減することができる。
【００３３】
足場板６と足場板ホルダー３６との間のぐらつきを低減させる構成としては、図７に示すように、ゴム紐７１を用いるようにしてもよい。
具体的には、足場板６の長手方向端部近傍における幅方向両側の延出部６２ｂに、一対の掛止孔６２ｇが形成されている。この一対の掛止孔６２ｇにＳ字フック５７をかけ、下梁材４３，５３に跨るように取り付けられたゴム紐７１の両端をＳ字フック５７に取り付ける。ゴム紐７１の長さを調節してゴム紐７１に弾性力が生じる状態にすればよい。
このようにすれば、ゴム紐７１の弾性力を、足場板６と下梁材４３，５３との間に常に生じさせるようにでき、両者間のぐらつきを低減させることができる。
【００３４】
上記の実施形態は、本発明の理解を容易にするためのものであり、本発明を限定するものではない。本発明は、その趣旨を逸脱することなく、変更、改良され得ると共に、本発明には各実施形態の特徴を組み合わせたもの、その等価物が含まれることは勿論である。
【００３５】
例えば、足場板６側に溝部６２ｅが形成され、足場板ホルダー３６側に溝部６２ｅに係止する壁部３６ｂが形成されているものとして説明したが、本願発明はこの構成に限定さない。具体的には、足場板６側に突出部としての壁部を形成し、足場板ホルダー３６側に壁部に係止する係止溝部を形成するようにしてもよい。
【００３６】
なお、本実施形態では、図１，図３のように、仮設足場１に、梁枠体３及び足場板６を一組のみ設置した例を示したが、各支柱２の複数の係止ホルダー２１に梁枠体３を係止することにより、複数組の梁枠体３及び足場板６を上下に設置してもよい。例えば、建物の異なる階層に対応する係止ホルダー２１に梁枠体３をそれぞれ設置することにより、各階での作業を円滑に行うことができる。
【符号の説明】
【００３７】
１  仮設足場
２  支柱
３  梁枠体
４  端部梁枠
５  中央梁枠
６  足場板
２１  係止ホルダー
３６  足場板ホルダー
３６ａ  平板部
３６ｂ  壁部（係止突出部）
３６ｃ  コの字状部材
３６ｄ  支持板部
４１  端部梁枠体
４２，５２  上梁材
４３，５３  下梁材
４４，５４  架橋部材
４５  係止片
４６，５６  板体
４６ａ  ボルト
４６ｂ  ナット
５１  中央梁枠体
５７  Ｓ字フック
６１  本体
６１ａ  底部
６１ｂ  側部
６１ｃ  縁部
６２  蓋体
６２ａ  天板部
６２ｂ  延出部
６２ｃ  湾曲部
６２ｄ  返し部
６２ｅ  溝部
６２ｆ  貫通孔（滑り止め孔）
６２ｇ  掛止孔
７１  ゴム紐
７１ａ  孔
【図１】
0005968390.tif 000002
【図２】
0005968390.tif 000003
【図３】
0005968390.tif 000004
【図４】
0005968390.tif 000005
【図５】
0005968390.tif 000006
【図６】
0005968390.tif 000007
【図７】
0005968390.tif 000008